(57)【特許請求の範囲】
【請求項１】
動画に関するサムネイルである第一のオブジェクトと第二のオブジェクトとを表示できる、表示画面と、
前記第一のオブジェクトと前記第二のオブジェクトとを、前記表示画面に表示させる制御部と、
を有する電子機器であって、
前記制御部は、
前記表示画面に前記第一のオブジェクトと前記第二のオブジェクトが表示された第一の状態において、前記第一のオブジェクトと前記第二のオブジェクトとを選択する第一の操作が検出された後、前記第一のオブジェクトの位置と前記第二のオブジェクトの位置とを離すための第二の操作が検出された場合、
前記第一の状態よりも互いに位置が離れた前記第一のオブジェクトと前記第二のオブジェクトとが表示され且つ前記第一のオブジェクトと前記第二のオブジェクトとの間に、前記動画に関する操作メニューである第三のオブジェクトが表示された第二の状態に、前記表示画面の表示を変化させる、電子機器。
【請求項２】
起動中のアプリケーションである第一のオブジェクトと第二のオブジェクトとを表示できる、表示画面と、
前記第一のオブジェクトと前記第二のオブジェクトとを、前記表示画面に表示させる制御部と、
を有する電子機器であって、
前記制御部は、
前記表示画面に前記第一のオブジェクトと前記第二のオブジェクトが表示された第一の状態において、前記第一のオブジェクトと前記第二のオブジェクトとを選択する第一の操作が検出された後、前記第一のオブジェクトの位置と前記第二のオブジェクトの位置とを離すための第二の操作が検出された場合、
前記第一の状態よりも互いに位置が離れた前記第一のオブジェクトと前記第二のオブジェクトとが表示され且つ前記第一のオブジェクトと前記第二のオブジェクトとの間に、前記第一の状態において表示されていない起動中のアプリケーションである第三のオブジェクトが表示された第二の状態に、前記表示画面の表示を変化させる、電子機器。
【請求項３】
前記第一の操作および前記第二の操作は、タッチ操作である、請求項１又は２記載の電子機器。
【請求項４】
前記第二の状態時に、前記第一のオブジェクトの位置と前記第二のオブジェクトの位置を前記第一の状態に戻す操作が行われると、前記第三のオブジェクトの表示を消す、請求項１乃至３のいずれか記載の電子機器。
【発明の詳細な説明】
【技術分野】
【０００１】
本開示の複数の実施態様は、電子機器に関する。
【背景技術】
【０００２】
近年、パーソナルコンピュータ、携帯端末（携帯電話機、タブレット端末、携帯ゲーム機など）などの電子機器は、例えば、サムネイル、アイコン、アプリケーション、画像などのオブジェクトを表示する機能を備えている。
【０００３】
例えば、特許文献１には、画像をタッチ操作により拡大操作可能である電子機器が記載されている。
【先行技術文献】
【特許文献】
【０００４】
【特許文献１】特開２０１３−１１４５５８公報
【発明の概要】
【発明が解決しようとする課題】
【０００５】
オブジェクトを表示できる電子機器には、さらなる操作性の改善が要求されている。本開示は、表示されたオブジェクトに対して簡易な操作により特定の処理を実行可能な電子機器を提供することを目的とする。
【課題を解決するための手段】
【０００６】
本開示の一実施形態にかかる電子機器は、表示画面と、制御部と、を有する。前記表示画面は、第一のオブジェクトと第二のオブジェクトとを表示できる。制御部は、前記第一のオブジェクトと前記第二のオブジェクトと、前記表示画面に表示させる制御部と、を有する。前記制御部は、前記表示画面に前記第一のオブジェクトと前記第二のオブジェクトが表示された第一の状態において、前記第一のオブジェクトと前記第二のオブジェクトとを選択する第一の操作が検出された後、前記第一のオブジェクトの位置と前記第二のオブジェクトの位置とを離すための第二の操作が検出された場合、前記第一の状態よりも互いに位置が離れた前記第一のオブジェクトと前記第二のオブジェクトとを表示するとともに、前記第一のオブジェクトと前記第二のオブジェクトとの間に第三のオブジェクトが表示された第二の状態に、前記表示画面の表示を変化させる。
【発明の効果】
【０００７】
本開示の電子機器は、第一のオブジェクトおよび第二のオブジェクトに対して簡易な操作を行うことにより第三のオブジェクトを表示することが可能となる。
【図面の簡単な説明】
【０００８】
【図１】図１は、本開示の一実施形態を示す携帯電話機１００の外観斜視図である。
【図２】図２は、携帯電話機１００のブロック構成図である。
【図３】図３は、携帯電話機１００の表示画面１０２の一例を示す図である。
【図４】図４（ａ）〜（ｄ）は、携帯電話機１００の表示画面１０２の画面遷移を示す図である。
【図５】図５（ａ）〜（ｄ）は、図４の画面遷移後の表示画面１０２における画面遷移図である。
【図６】図６（ａ）〜（ｂ）は、図５の画面遷移後の表示画面１０２における画面遷移図である。
【図７】図７（ａ）〜（ｂ）は、携帯電話機１００の表示画面１０２の画面遷移図である。
【図８】図８（ａ）〜（ｂ）は、携帯電話機１００の表示画面１０２の画面遷移図である。
【図９】図９は、携帯電話機１００におけるプログラムのフローチャートの一部である。
【図１０】図１０は、携帯電話機１００の表示画面１０２を示す図である。
【図１１】図１１（ａ）〜（ｄ）は、図４〜図８における表示画面１０２とは異なる表示画面１０２に関する画面遷移図である。
【発明を実施するための形態】
【０００９】
本開示の一実施形態にかかる電子機器を説明する。
【００１０】
〔構成〕
本開示の一実施態様にかかる電子機器としては、パーソナルコンピュータ、携帯端末（携帯電話、タブレット端末、携帯ゲーム機、ウェアラブルデバイス（時計、メガネ、ベルト、服などであって表示画面を有するデバイス））などが挙げられる。
【００１１】
以下に、電子機器として携帯電話機を具体例として挙げるが、本開示の電子機器は携帯電話機に限定されない。
【００１２】
以下に、電子機器の一例である携帯電話機を用いて本開示を説明する。
【００１３】
図１は、携帯電話機１００の外観斜視図である。なお、図１においては一例としてタッチ操作が可能なストレートタイプの携帯電話機１００を示す。
【００１４】
なお、携帯電話機の具体例として、前述のようにストレートタイプの携帯電話機１００を示しているが、他に、折り畳み型、スライド型などの携帯電話機であってもかまわない。
【００１５】
図１に示す携帯電話機１００の外観には、ランプ１０１、表示画面１０２、光センサ１０３、スピーカ（レシーバー）１０４、マイク１０５、ボタン部１０６、カメラ窓１０７が備えられている。
【００１６】
ランプ１０１は、電話の着信中であること、不在着信が存在することなどの電話の着信情報、または、新着メールを受信したこと、未読メールが存在することなどのメールの受信情報を、外部に対して発光することによりユーザへ報知することができる。また、ランプ１０１は他に、アラーム日時到来などをユーザへ報知することもできる。ランプ１０１は、ＬＥＤなどの発光素子により構成されている。ランプ１０１としては、例えば、ＬＥＤランプなどが挙げられる。ランプ１０１は、点灯、点滅など光を発してユーザに報知する。
【００１７】
表示画面１０２は、各種情報を表示できる。各種情報としては、例えば、アプリケーションを示すアイコン、起動中のアプリケーション、電波状態表示、電池残量、日付表示、時刻表示などが挙げられる。表示画面１０２は、透明なカバーパネルと、その裏面側に設けられた表示部１２０と、を含む。表示部１２０は例えば、液晶表示部、有機ＥＬ（ＥＬＥＣＴＲＯ  ＬＵＭＩＮＥＳＣＥＮＣＥ）表示部、プラズマ表示部、電子ペーパーなどが挙げられる。表示部１２０が液晶表示部の場合、表示部１２０のバックライトを発光して各種情報を表示画面１０２に表示する。また、表示部１２０が有機ＥＬ表示部の場合、表示部１２０の発光体を発光して各種情報を表示画面１０２に表示する。
【００１８】
ユーザからの操作を受け付ける操作部の具体例として、例えば、タッチ操作部１１４が挙げられる。タッチ操作部１１４としては、タッチパネルなどが挙げられる。タッチパネルには、例えば、静電容量方式、抵抗膜方式、光学式、超音波表面弾性波方式、赤外線遮光方式、電磁誘導方式、画像認識方式など種々の方式がある。なお、前記操作部としては、タッチ操作部１１４の代わりに、近接を検出すると操作が可能な近接操作部であってもよい。近接操作部としては、近接センサなどにより、例えば、手の動きなどを検出して、操作するものが挙げられる。ほかに、操作部としては、例えば、カメラなどによりユーザの動きを検知して、ユーザからの操作を受け付けてもよい。
【００１９】
図１に示す具体例における表示画面１０２は、表示画面１０２を正面視したときに、カバーパネルと表示部１２０とタッチ操作部１１４とが重なっており、表示画面１０２に表示されたオブジェクトに対して、ユーザがカバーパネル上にてタッチ操作することで、前記オブジェクトに対して操作をすることができる。
【００２０】
光センサ１０３は、周囲の明るさを検出する明るさ検出部として機能する。光センサ１０３は、図１においては携帯電話機１００の前面に設けられているが、その設置場所は限定されず、周囲の環境を精度よく検出される場所であればかまわない。光センサ１０３としては、フォトトランジスタ，フォトダイオードなどを適用したものが挙げられる。
【００２１】
スピーカ１０４は、後述する制御部１０８からの制御信号によって外部に音を出力する機能を有する。スピーカの位置は特に限定されず、例えば、携帯電話機１００の表面、側面または裏面に設けられる。スピーカ１０４は例えば、通話相手からの音声の出力、メロディ、呼び出し音などの出力ができる。
【００２２】
マイク１０５は、集音した音声を音声信号に変換して後述する音声エンコーダ１１７へ出力する。
【００２３】
ボタン部１０６は、ユーザからの操作入力を受け付けるボタン状のハードキーである。ボタン部１０６が受け付けたユーザからの操作は、信号として制御部１０８に入力される。図１の場合、ボタン部１０６が押圧されることで操作がなされる。ボタン部１０６としては、例えば、電源キー、ボリュームキー、ホームキーなどが挙げられる。
【００２４】
カメラ窓１０７は、携帯電話機１００の前面または背面に設けられる。カメラ窓１０７には透明なパネルまたはレンズが設けられており、被写体像を後述するカメラモジュール１１６に送る。
【００２５】
図２は、携帯電話機１００のブロック構成図である。
【００２６】
制御部１０８は、携帯電話機１００に備えられたソフトウェアおよびハードウェアを制御する。例えば、制御部１０８は、タッチ操作部１１４、ボタン部１０６、など、ユーザにより受け付けた入力操作を検知して、携帯電話機１００に備えられた各種機能を実行する。また、制御部１０８は、ＲＯＭ１１０またはＲＡＭ１１１と協働して携帯電話機１００に記憶されたプログラムを実行する。制御部１０８としては、例えば、制御用ＣＰＵなどが挙げられる。
【００２７】
振動部１０９は、制御部１０８からの制御信号によって機械的振動を生じる。振動部１０９は、例えば、モーターなどから構成され、電話の着信情報、メールの受信情報、アラーム日時到来などを機械的振動としてユーザへ報知する。
【００２８】
ＲＯＭ（ＲＥＡＤ  ＯＮＬＹ  ＭＥＭＯＲＹ）１１０は、携帯電話機１００に備えられた各種処理を実行するためのプログラムやデータなどを記憶する。
【００２９】
ＲＡＭ（ＲＡＮＤＯＭ  ＡＣＣＥＳＳ  ＭＥＭＯＲＹ）１１１は、制御部１０８からアクセス可能であり、制御部１０８が各種処理を実行するための一時記憶領域（バッファ領域とも呼ぶ）として利用される。ＲＡＭ１１１は、他に、アドレス帳データ、メールデータ等、電話モードにて使用するデータ、カメラモードにて撮影された画像データ、動画データ等、機器内で生成される各種データを記憶することができる。ＲＡＭ１１１に保存される画像には、静止画および動画がある。動画は複数のフレームで構成され、各フレームは静止画からなる。静止画は、アイコン、ボタン、写真、サムネイル画像およびテキストレイアウト領域を含む。テキストレイアウト領域は、テキスト情報が表示された領域である。また、後述する動画と動画のサムネイル画像とは、動画の識別情報により関連づけられてＲＡＭ１１１に記憶される。
【００３０】
無線回路１１２は、アンテナ１１３から入力された所定の高周波信号に復調処理及び復号処理を施してデジタルの音声信号へと変換する。また、制御部１０８から入力されたデジタルの音声信号には符号化処理及び変調処理を施して、高周波信号に変換する。そして、無線回路１１２は高周波信号をアンテナ１１３へ出力する。
【００３１】
アンテナ１１３は、所定の周波数帯域を受信して高周波信号として無線回路１１２に出力する。また無線回路１１２より出力された高周波信号を所定の周波数帯域の信号として出力する。
【００３２】
カメラモジュール１１６はＣＣＤ等の撮像素子を有する。カメラモジュール１１６は、撮像素子から出力された撮像信号をデジタル化し、その撮像信号にガンマ補正等の各種補正を施して映像エンコーダ１１５へ出力する。映像エンコーダ１１５は、カメラモジュール１１６からの撮像信号にエンコード処理を施して制御部１０８へ出力する。このカメラモジュール１１６は、カメラ窓１０７を通して被写体像を取り込む。
【００３３】
音声エンコーダ１１７は、マイク１０５からのアナログの音声信号をデジタルの音声信号に変換するとともに、デジタルの音声信号にエンコード処理を施して制御部１０８へ出力する。
【００３４】
映像デコーダ１１９は、制御部１０８からの画像情報を表示部１２０で表示できる画像信号に変換し、これらを表示部１２０に出力する。表示部１２０は、画像信号に応じた画像をその表示面に表示する。
【００３５】
音声デコーダ１１８は、ＣＰＵ１００からの音声信号と、着信音やアラーム音等の各種報知音の音信号とにデコード処理を施し、さらにアナログの音声信号に変換してスピーカ１０４に出力する。
【００３６】
クロック１２１は、時間を計測し、計測した時間を応じた信号を制御部１０８へ出力する。
【００３７】
〔動作処理〕
以下に、本開示の一実施態様である携帯電話機１００の動作処理を示す。
【００３８】
図３は、携帯電話機１００の表示画面１０２の一例を示す図である。図３には、動画編集画面が示されている。具体的に、表示画面１０２には、１つの動画を時間毎に分割したパート（図３の場合、５分毎に動画を分割）を示すサムネイル１１ａ〜１１ｃ、動画のプ
レビュー画面１０、動画の現在の進捗を示す進捗バー１２が示されている（図３の場合、プレビュー画面１０に表示されている動画の進捗は、８分５７秒であることを示す）。サムネイル１１ａ〜１１ｃの下には、動画の時間（たとえば、５：００は５分０秒を示す）が表示されている。なお、図３に示す表示画面１０２の状態が、請求項における「第一の状態」に該当する。
【００３９】
なお、動画は、携帯電話機１００が有するカメラにより撮影されてもよいし、インターネットにおけるサイトなどからダウンロードされてもよい。
【００４０】
図４〜図６には、一連の画面遷移が表示されている。
【００４１】
図４（ａ）では、表示画面１０２において、サムネイル１１ａ（請求項における「第一のオブジェクト」に該当）にユーザの指Ｆ１がタッチし、隣接するサムネイル１１ｂ（請求項における「第二のオブジェクト」に該当）にユーザの指Ｆ２がタッチすることで、サムネイル１１ａおよびサムネイル１１ｂが選択されている（請求項における「第一の操作」に該当）。図４（ａ）の状態から、図４（ｂ）に示すように、指Ｆ１と指Ｆ２をサムネイル１１ａおよびサムネイル１１ｂにタッチさせたままそれらの指を広げると（請求項における「第二の操作」に該当）、サムネイル１１ａとサムネイル１１ｂとが指Ｆ１と指Ｆ２の移動に併せて移動して表示され、移動後のサムネイル１１ａと１１ｂとの間に、操作メニュー１３（請求項における「第三のオブジェクト」に該当）が表示される（請求項における「第二の状態」に該当）。図４（ｂ）の場合、操作メニュー１３には、コピー（copy）、貼り付け(paste)、切り取り(cut)が表示されているが、本開示はこれに限定されない。
【００４２】
図４（ｃ）に示すように、指Ｆ１と指Ｆ２がサムネイル１１ａおよびサムネイル１１ｂから離れた後、操作メニュー１３の項目のうち「コピー」を選択するように指Ｆ１が操作メニュー１３にタッチされる。そのあと、図４（ｄ）に示すように、コピーしたいサムネイル（この場合はサムネイル１１ｂ）を選択するように指Ｆ１がサムネイル１１ｂにタッチされる。
【００４３】
図５および図６では、コピーしたいサムネイルのコピー先を選択し、コピーを実行する際の表示画面１０２の画面遷移を示す。
【００４４】
図４（ｄ）の後、図５（ａ）に示すように、サムネイル１１ｂの右側から左向き（図５（ａ）におけるＤ方向）に指Ｆ１をスライドさせる。指Ｆ１をスライドさせることで、図５（ｂ）に示すように、サムネイル１１ｂよりも後ろに位置するサムネイル１１ｃ〜１１eが表示される。
【００４５】
図５（ｃ）に示すように、コピーしたサムネイル１１ｂの貼り付け先を選択する。図５（ｃ）の場合、ユーザは、サムネイル１１ｄとサムネイルｅとの間にサムネイル１１ｂを貼り付けようとしている。図５（ｄ）に示すように、指Ｆ１と指Ｆ２をサムネイル１１ｄおよびサムネイル１１ｅにタッチさせたままそれらの指を広げると、移動したサムネイル１１ｄとサムネイル１１ｅとの間に「貼り付けますか？」という表示１４が示される。次に、図６（ａ）に示すように、「貼り付けますか？」の表示１４を指Ｆ１でタッチすると、図６（ｂ）に示すように、サムネイル１１ｄおよびサムネイル１１ｅとの間にサムネイル１１ｂが貼り付けられる。これらの操作により、動画において、サムネイル１１ｄで表される動画パートとサムネイル１１ｅで表される動画パートの間に、サムネイル１１ｂで表される動画パートが位置させることができた。
【００４６】
以上のように、図４から図６に示す操作を行うことにより、２つのオブジェクト（この
場合、オブジェクトは１つの動画をそれぞれ形成する複数のパートに関連するサムネイルに該当）の位置を離すために２つのオブジェクトを移動させたことにより、それらのオブジェクトの間から、別の表示（この場合、操作メニュー１３）を表示させることができる。よって、通常時の表示画面（この場合、動画編集の際の通常時の表示画面）において、操作メニューなどの表示領域を別途設けずとも、操作メニューなどの表示を簡易な操作により呼び出すことができる。とくに電子機器が表示画面の小さい電子機器（特に携帯電話などの携帯通信端末装置）の場合に有用である。
【００４７】
なお、図５（ｃ）および図５（ｄ）に示したように、コピーしたいサムネイル１１ｂの貼り付け先を選択する際に、サムネイル１１ｄとサムネイル１１ｅとが離れるように、指Ｆ１と指Ｆ２とをスワイプさせて貼り付け先を選択したが、本開示はこの内容に限定されない。例えば、図７（ａ）に示すように、サムネイル１１ｄと１１ｅとの間を指Ｆ１でタップすることで、図７（ｂ）に示すように、サムネイル１１ｄおよびサムネイル１１ｅとの間に貼り付けたいサムネイル（この場合はサムネイル１１ｂ）が貼り付けられてもよい。
【００４８】
図８では、図４（ａ）から図４（ｂ）の後の操作の一例を示す。例えば、図４（ｂ）に示すような表示画面１０２に操作メニュー１３を表示させたが、操作メニュー１３の表示をキャンセルさせたい場合、指Ｆ１および指Ｆ２を、サムネイル１１ａおよびサムネイル１１ｂにタッチさせたまま、サムネイル１１ａおよびサムネイル１１ｂを近づけるような方向（図８（ａ）における方向Ｄ１および方向Ｄ２）に移動させると、図８（ｂ）に示すように、操作メニュー１３の表示が消え、サムネイル１１ａおよびサムネイル１１ｂが元の表示に戻る。なお、図８の例では、指Ｆ１と指Ｆ２が、サムネイル１１ａおよびサムネイル１１ｂにタッチさせた状態で指Ｆ１と指Ｆ２を閉じる操作を示したが、本開示はこれに限定されない。例えば、図４（ｂ）の表示画面の状態から、指Ｆ１および指Ｆ２を一旦離れた後に、再度、指Ｆ１および指Ｆ２がサムネイル１１ａおよびサムネイル１１ｂに触れてから、図８（ａ）に示すように、サムネイル１１ａおよびサムネイル１１ｂを指Ｆ１および指Ｆ２で閉じるように操作してもよい。
【００４９】
以上、図３から図８にもとづいて、本開示の一実施形態である、携帯電話機での動画編集について説明してきたが、請求項の内容は図３から図８の具体例に限定されない。
【００５０】
次に、本開示の一実施形態を実行するプログラムについて図９を用いて説明する。なお、図３から図８にもとづいた例を示す。
【００５１】
ステップＳ０１にて、２つのサムネイルに接触があったかを検出する。具体的には、図４（ａ）に示すように、サムネイル１１ａとサムネイル１１ｂに対してタッチされたかどうかを検出する。タッチが検出されなかった場合（ステップＳ０１：ＮＯ）、再びステップＳ０１に戻る。タッチが検出された場合（ステップＳ０１：ＹＥＳ）、２つのサムネイルの位置を離す操作があったかどうかを検出する（ステップＳ０２）。具体的には、図４（ｂ）に示すように、サムネイル１１ａとサムネイル１１ｂに指等がタッチした状態から、タッチ位置が離れる移動があったかどうかを検出する。２つのサムネイルを離す操作がなかった場合（ステップＳ０２：ＮＯ）、ステップＳ０１に戻る。２つのサムネイルを離す操作があった場合（ステップＳ０２：ＹＥＳ）、２つのサムネイルの位置を離し、操作メニューを表示させる（ステップＳ０３）。具体的には図４（ｂ）に示すように、サムネイル１１ａとサムネイル１１ｂは、表示位置が離れるように移動し、移動後のサムネイル１１ａと１１ｂとの間に、操作メニュー１３が表示される。
【００５２】
２つのサムネイルに対して接触が解除されたか、つまり、検出されていたタッチが検出されなくなったかどうかを検出する（ステップＳ０４）。２つのサムネイルへの接触が解
除されなかった場合（ステップＳ０４：ＮＯ）、つまり、２つのサムネイルへの接触が維持されている場合は、後述するステップＳ０８にフローを移行する。２つのサムネイルへの接触が解除された場合（ステップＳ０４：ＹＥＳ）、操作メニューへの選択操作があったかどうかを検出する（ステップＳ０５）。具体的には、図４（ｃ）に示すように、操作メニュー１３に記載の項目（ＣＯＰＹ、ＰＡＳＴＥ、ＣＵＴ）のいずれかの表示に対して選択のためにタッチが検出されたかどうか検出される。メニューへの選択操作がなかった場合（ステップＳ０５：ＮＯ）、フローは後述するステップＳ０９にフローを移行する。メニューへの選択操作があった場合（ステップＳ０５：ＹＥＳ）、サムネイルが選択されたかどうかを検出する（ステップＳ０６）。具体的には、図４（ｄ）に示すように、メニュー１３のうち選択されたコピーに関し、コピーしたいサムネイルが選択されたかどうかが検出される。サムネイルが選択されない場合（ステップＳ０６：ＮＯ）、フローはステップＳ０６に戻る。サムネイルが選択された場合（ステップＳ０６：ＹＥＳ）、メニューが実行される（ステップＳ０７）。具体的には、図６（ｂ）に示すように、コピーされたサムネイル１１ｂが、サムネイル１１ｄとサムネイル１１ｅとの間に貼り付けられ、フローを終了する。
【００５３】
ステップＳ０４において２つのサムネイルの接触が解除されなかった場合（ステップＳ０４：ＮＯ）、２つのサムネイルの位置を近づける操作があったかどうかを検出する（ステップＳ０８）。具体的には、図８（ａ）に示すように、操作メニュー１３を介して離れて表示されたサムネイル１１ａとサムネイル１１ｂに対して指等がタッチした状態から、タッチ位置を近づける移動があったかどうかを検出する（ステップＳ０８）。２つのサムネイルの位置を近づける操作がなかった場合（ステップＳ０８：ＮＯ）、フローはステップＳ０４に戻る。２つのサムネイルの位置を近づける操作があった場合（ステップＳ０８：ＹＥＳ）、操作メニューの表示を消し、２つのサムネイルの表示位置を元に戻す（ステップＳ１０）。
【００５４】
ステップＳ０５においてメニューの選択がなされなかった場合（ステップＳ０５：ＮＯ）、所定時間が経過したかどうかを検出する（ステップＳ０９）。所定時間が経過していなければ（ステップＳ０９：ＮＯ）、フローはステップＳ０５に戻る。所定時間が経過していれば（ステップＳ０９：ＹＥＳ）、操作メニューの表示を消し、２つのサムネイルの表示位置を元に戻す（ステップＳ１０）。
【００５５】
図３〜図９において、電子機器（この場合携帯電話機）における、動画の編集時のサムネイルへのタッチ操作について説明してきたが、請求項は動画編集時のサムネイルへの操作に限定されない。たとえば、複数の異なる動画が表示画面にそれぞれサムネイル表示されている場合、２つのサムネイルが選択された後にそれらの表示位置が離れるように操作されることで、2つのサムネイルとは別の表示（例えば、図４に記載の操作メニュー）な
どを表示させてもよい。
【００５６】
図１０および図１１には、図３〜図９とは異なる実施形態として、２つのアプリケーションを起動中において、それらアプリケーションの表示に対するタッチ操作について示している。
【００５７】
図１０において、携帯電話機１００の表示画面１０２には、２つのアプリケーションが起動されている。１つのアプリケーションはアプリケーションＡであり、他方のアプリケーションはアプリケーションＢである。これらのアプリケーションは、表示画面１０２において、並んで表示されている。なお、携帯電話機１００は、図３〜図８の場合、縦向き表示であったのに対して、図１０および図１１では横向き表示にしているが、表示の向きはいずれでもよい。なお、図１０に示す表示画面１０２の状態が、請求項における「第一の状態」に該当する。
【００５８】
図１１（ａ）に示すように、アプリケーションＡとアプリケーションＢが表示された表示画面１０２において、アプリケーションＡに指Ｆ１がタッチし、隣接するアプリケーションＢに指Ｆ２がタッチしている。図１１（ａ）から、図１１（ｂ）に示すように、指Ｆ１と指Ｆ２をアプリケーションＡおよびアプリケーションＢにタッチさせたままそれらの指を広げると、アプリケーションＡとアプリケーションＢとが指Ｆ１と指Ｆ２の移動に併せて移動して表示される。そして、移動後のアプリケーションＡとアプリケーションＢとの間に、アプリケーションＣの少なくとも一部が表示される。図１１に表示されるアプリケーションＣは、起動はしているが図１１（ａ）の表示画面１０２には表示されていないアプリケーションを示している。図１１（ｂ）においては、ある程度までアプリケーションＡとアプリケーションＢとが離れて表示された状態を示しているが、アプリケーションＡとアプリケーションＢとが図１１（ｂ）に示した場合よりも離れていない状態でアプリケーションＣの少なくとも一部が表示されていてもよい。このような表示を行うことにより、ユーザは、指Ｆ１と指Ｆ２をアプリケーションＡおよびアプリケーションＢに接触させてからそれらの指を少し広げるという簡単な操作をするだけで、表示されてはいないが起動中のアプリケーションＣの存在を確認することが可能となる。確認が終わった後は、例えば、前の具体例で記載した図８の操作を適用して、アプリケーションＡとアプリケーションＢに指Ｆ１および指Ｆ２をそれぞれタッチさせ、アプリケーションＡとアプリケーションＢを近づけるような方向に移動させることで、アプリケーションＣの表示を消し、図１０に示すように、アプリケーションＡとアプリケーションＢを元の位置に戻しても良い。
【００５９】
図１１（ｂ）においては、アプリケーションＡとアプリケーションＢとの後ろ側にアプリケーションＣが位置するように表示されているが、アプリケーションＣの表示はこれに限定されない。
【００６０】
図１１（ｃ）では、図１１（ｂ）において指Ｆ１と指Ｆ２をアプリケーションＡおよびアプリケーションＢにタッチさせたままそれらの指を広げて指Ｆ１と指Ｆ２とを表示画面１０２から離した後、アプリケーションＡとアプリケーションＢの間に表示されたアプリケーションＣをアプリケーションＢの代わりに表示させようとしている。具体的には、アプリケーションＣに指Ｆ１をタッチしてから、図１１（ｃ）に示すように左から右の方向（方向Ｄ）に沿って指を移動させて指Ｆ１をアプリケーションＢに位置させている。これにより、アプリケーションＣの表示がアプリケーションＢの上側に位置するように移動している。
【００６１】
図１１（ｄ）に示すように、図１１（ａ）から図１１（ｃ）における操作を経ることで、アプリケーションＢからアプリケーションＣに、表示画面１０２の右側の領域の表示を変更することができる。なお、図１１（ｄ）において、表示されなくなったアプリケーションＢは起動している。
【００６２】
図１０および図１１の具体例では、請求項における第一のオブジェクトおよび第二のオブジェクトとして、起動中であり表示中のアプリケーション表示を示しており、第三のオブジェクトとして、起動中であるが表示されていなかったアプリケーション表示を示している。
【００６３】
以上のように、図面を用いて本開示を説明したが、本開示は図面に記載された具体例に限定されない。図３〜図１１においては、第一のオブジェクトと第二のオブジェクトは、図３および図１０に示す第一の状態では隙間なく隣接していたが、第一の状態において第一のオブジェクトと第二のオブジェクトとの間に隙間を有していてもよいし、第一のオブジェクトと第二のオブジェクトとの間に別のオブジェクトが位置していてもよい。
【００６４】
図面に記載された具体例において、請求項におけるオブジェクト（第一のオブジェクト、第二のオブジェクト、第三のオブジェクトを含む）としては、サムネイル、アプリケーション表示が示されたが、それらに限定されない。たとえば、オブジェクトとしては、アイコン（アプリケーションを示すアイコン、通知を示すアイコン）、文字、ソフトキーボードにおけるソフトキーなどが挙げられる。
【００６５】
図面に示された具体例において、タッチ操作による操作を示したが、本開示はこれに限定されない。たとえば、表示画面１０２に接触させずとも、近接させることで前記オブジェクトを操作できてもよいし、例えば、１ｍ以上などユーザと電子機器との距離が離れていても前記オブジェクトを操作できてもよい。
【００６６】
また、ユーザによる操作は指による操作に限られず、視線による操作、声による操作、ジェスチャによる操作、スタイラスなどの操作器具を用いた操作であってもよい。
【符号の説明】
【００６７】
１０    プレビュー画面
１１    サムネイル
１２    進捗バー
１３    操作メニュー
１４    貼り付け表示
１００  携帯電話機
１０１  ランプ
１０２  表示部
１０３  光センサ
１０４  スピーカ
１０５  マイク
１０６  ボタン部
１０８  制御部
１０９  振動部
１１０  ＲＯＭ
１１１  ＲＡＭ
１１２  無線回路
１１３  アンテナ
Ｆ１，Ｆ２  指
Ｄ      方向
【図１】
0006514061.tif 000002
【図２】
0006514061.tif 000003
【図３】
0006514061.tif 000004
【図４】
0006514061.tif 000005
【図５】
0006514061.tif 000006
【図６】
0006514061.tif 000007
【図７】
0006514061.tif 000008
【図８】
0006514061.tif 000009
【図９】
0006514061.tif 000010
【図１０】
0006514061.tif 000011
【図１１】
0006514061.tif 000012